(57)【特許請求の範囲】
【請求項１】
装置内の通過ルートを一意に示すパス識別子を伝送対象パケットに付加する付加手段と；
通過する前記パケットから前記パス識別子を抽出したとき、抽出した前記パス識別子と装置内の監視箇所を示す情報とを含む通過情報をそれぞれ通知する複数の監視手段と；
前記複数の監視手段から通知される前記通過情報に基づいて、前記パケットの通過状況をパステーブルに記録し、前記パステーブルに記録した前記通過状況に応じて、装置内の障害箇所を検出する判定手段とを備え;
前記付加手段は、前記パス識別子を前記伝送対象パケットに装置内ヘッダとして付加し、
前記パス識別子は、装置内の各監視箇所に存在する前記監視手段が前記伝送対象パケットを通過ルート単位で監視するか、通過ルート毎にパケット単位で監視するかを示す情報を含む、
中継装置。
【請求項２】
前記付加手段は、前記装置内の通過ルートとして、入力インターフェース番号と出力インターフェース番号との組を示す前記パス識別子を前記伝送対象パケットに装置内ヘッダとして付加する
請求項１記載の中継装置。
【請求項３】
前記付加手段は、前記装置内の通過ルートとして、入力インターフェース番号と出力インターフェース番号との組を示す情報に加え、同一通過ルートを通る断片化パケットを示すための順序番号であるパケット番号を含む前記パス識別子を前記伝送対象パケットに装置内ヘッダとして付加する
請求項１記載の中継装置。
【請求項４】
前記判定手段は、予め定めた時間内に、前記パステーブルに前記装置内の全ての監視箇所の前記通過状況が記録されないときは、異常発生と判定する
請求項１記載の中継装置。
【請求項５】
前記監視手段は、自装置発または自装置宛の前記伝送対象パケットに含まれる前記パス識別子に基づき、前記判定手段に前記通過情報を通知する
請求項１記載の中継装置。
【請求項６】
装置内の通過ルートを一意に示すパス識別子を伝送対象パケットに付加し；
通過する前記パケットから前記パス識別子を抽出したとき、抽出した前記パス識別子と装置内の監視箇所を示す情報とを含む通過情報を複数の監視箇所からそれぞれ通知し；
前記複数の監視箇所から通知される前記通過情報に基づいて、前記パケットの通過状況をパステーブルに記録し、前記パステーブルに記録した前記通過状況に応じて、装置内の障害箇所を検出する;
ことを中継装置が処理し、
前記付加することは、前記パス識別子を前記伝送対象パケットに装置内ヘッダとして付加し、
前記パス識別子は、装置内の各監視箇所において、前記伝送対象パケットを通過ルート単位で監視するか、通過ルート毎にパケット単位で監視するかを示す情報を含む、
サイレント障害自律検出方法。
【発明の詳細な説明】
【技術分野】
【０００１】
本発明は、サイレント障害自律検出機能を含む通信システムに適用される中継装置に関する。
【背景技術】
【０００２】
インターネットまたはイントラネットなどのＩＰ（Internet Protocol）ネットワーク
を通して、クライアント・クライアント間通信及びサーバ・クライアント間通信を行わせる通信システムにおいては、伝送対象データをパケット形態で中継（転送）するネットワーク中継装置としての複数のルータがＩＰネットワーク上に配置される。
【０００３】
通常、このような通信システムにおいては、パケット損失や転送遅延などの異常が生じたとき、該当ルータから保守運用システムに障害通知が行われる。保守運用システムの保守運用者（監視者）は、この障害通知に基づいて、特定のルータがパケット転送不可能であることを知り得る。
【０００４】
しかし、異常が発生しているにも関らず、ルータ自体が劣化または故障のために異常発生を検出できず、保守運用システムに障害の通知がない場合がある。この場合、保守運用者は、例えば通信に影響が出た後に、ユーザからの異常申告があって、初めて障害を認識可能である。
【０００５】
通信システムにおいて潜在化し、異常発生を自律的に直ちに検出できないこのような障害は、サイレント障害と称される。近年、このサイレント障害をＩＰネットワーク内で早期に検出する手法が求められている。
【先行技術文献】
【特許文献】
【０００６】
【特許文献１】特開２００７−２８３０５号公報
【発明の概要】
【発明が解決しようとする課題】
【０００７】
図１には、上述したサイレント障害を検出するための一手法を採る通信システムが例示されている。通信システム１Ａにおいては、複数のプローブ装置Ｐ１，Ｐ２，Ｐ３，Ｐ４，Ｐ５がＩＰネットワーク２上のルータＲ１，Ｒ２，Ｒ３，Ｒ４間の監視箇所にそれぞれ配置されている。
【０００８】
プローブ装置Ｐ１〜Ｐ５は、伝送対象データであるパケットの到着状態を監視することにより、各ルータＲ１〜Ｒ４が自身で検出できない異常を検出する。そして、プローブ装置Ｐ１〜Ｐ５及び損失箇所特定装置３の連携により、保守運用システム４などの外部に異常通知が行われる。
【０００９】
更に詳述すると、図２に示すように、プローブ装置Ｐ１，Ｐ２が各パケット（断片化パケット）に対して通過履歴としてプローブ装置識別子ＩＤ（Ｐ１），ＩＤ（Ｐ２）を付与する。各パケットは、複数のプローブ装置Ｐ１，Ｐ２を経由しながら、損失箇所特定装置３に到着する。損失箇所特定装置３は、到着したパケットに含まれる通過履歴に基づいて、パケットの通過経路と、パケットの損失が発生した損失発生箇所（単に、損失箇所と記載することもある）とを特定可能である。
【００１０】
図２に示す例では、ルータＲ１，Ｒ２間に配置されたプローブ装置Ｐ１は、ＩＰヘッダにシーケンス番号ｓｅｑ＃Ｎ，ｓｅｑ＃Ｎ＋１，ｓｅｑ＃Ｎ＋２，ｓｅｑ＃Ｎ＋３を含むパケットを順次に受信し、通過履歴としてプローブ装置識別子ＩＤ（Ｐ１）を各パケットに付与した後に送信する。
【００１１】
ルータＲ２，Ｒ３間に配置されたプローブ装置Ｐ２は、ＩＰヘッダにシーケンス番号ｓｅｑ＃Ｎ，ｓｅｑ＃Ｎ＋２，ｓｅｑ＃Ｎ＋３を含むパケットを受信するが、シーケンス番号ｓｅｑ＃Ｎに続くシーケンス番号ｓｅｑ＃Ｎ＋１を含むパケットを受信していないので、シーケンス番号ｓｅｑ＃Ｎ＋２を含むパケットには、通過履歴としてプローブ装置識別子ＩＤ（Ｐ２）を付与することなく送信する。
【００１２】
損失箇所特定装置３は、ルータＲ３を介してプローブ装置Ｐ２から送信されたパケットを受信したとき、到着（受信）パケットに付与された通過履歴のプローブ装置識別子ＩＤ（Ｐ１），ＩＤ（Ｐ２）に基づいて、パケットの通過経路を特定する。ここでは、損失箇所特定装置３は、シーケンス番号ｓｅｑ＃Ｎ＋２のパケットに通過履歴のプローブ装置識別子ＩＤ（Ｐ２）が付与されていないので、損失発生箇所をプローブ装置Ｐ１，Ｐ２間と特定（認識）可能である。
【００１３】
上述したプローブ装置Ｐ１，Ｐ２及び損失箇所特定装置３による障害の検出では、各プローブ装置Ｐ１，Ｐ２が通過履歴を各パケットに付与し、損失箇所特定装置３が各パケットの最終的な通過判定を行う。このために、各パケットが途中で全て損失して、パケットの損失発生箇所を示す識別子（プローブ装置識別子）が損失箇所特定装置３に到達しない場合は、損失発生箇所を特定できない（図３参照）。
【００１４】
また、シーケンス番号ｓｅｑ＃Ｎ，ｓｅｑ＃Ｎ＋１，ｓｅｑ＃Ｎ＋２，ｓｅｑ＃Ｎ＋３による通過監視を実施しているので、次の制限（１），（２），（３）を免れない。
【００１５】
（１）再送パケットには適用できない。つまり、再送パケットについては、シーケンス番号ｓｅｑ＃Ｎ，ｓｅｑ＃Ｎ＋２が連続ではないので、プローブ装置識別子が付与されない。この結果、再送パケットの損失発生箇所が特定できない（図４参照）。
【００１６】
（２）単発パケットには適用できない。つまり、複数の断片化パケットではない単発パケットについては、シーケンス番号に基づくプローブ装置識別子の付与ができない。したがって、損失発生箇所の特定もできない（図５参照）。
【００１７】
（３）ＲＴＰ（Real-time Transfer Protocol）プロトコルに則る通信にしか適用でき
ない。ＲＴＰプロトコルは、ビデオやオーディオ配信などのリアルタイム性が要求されるデータストリーム転送のための通信プロトコルである。
【００１８】
そして、上述した障害検出手法では、各ルータ内部の障害箇所（異常発生箇所）を特定できない根本的問題が残存する。
【００１９】
課題は、中継装置内部の障害箇所（異常発生箇所）を自律的に特定することを可能にする技術を提供することにある。
【課題を解決するための手段】
【００２０】
上記課題を解決するために、中継装置は、装置内の通過ルートを一意に示すパス識別子を伝送対象パケットに付加する付加手段と；通過する前記パケットから前記パス識別子を抽出したとき、抽出した前記パス識別子と装置内の監視箇所を示す情報とを含む通過情報をそれぞれ通知する複数の監視手段と；前記複数の監視手段から通知される前記通過情報
に基づいて、前記パケットの通過状況をパステーブルに記録し、前記パステーブルに記録した前記通過状況に応じて、装置内の障害箇所を検出する判定手段とを備える。
【発明の効果】
【００２１】
開示した中継装置によれば、装置内のサイレント障害を自律的に検出することができる。
【００２２】
他の課題、特徴及び利点は、図面及び特許請求の範囲とともに取り上げられる際に、以下に記載される発明を実施するための形態を読むことにより明らかになるであろう。
【図面の簡単な説明】
【００２３】
【図１】サイレント障害を検出する関連技術を説明するための図。
【図２】サイレント障害を検出する関連技術を説明するための図。
【図３】関連技術の問題点を説明するための図。
【図４】関連技術の問題点を説明するための図。
【図５】関連技術の問題点を説明するための図。
【図６】一実施の形態の通信システムの構成を示すブロック図。
【図７】一実施の形態の通信システムにおけるルータの構成を示すブロック図。
【図８】図７に示すルータにおける伝送対象パケット及びパス識別子を説明する図。
【図９】図７に示すルータにおける処理を説明するためのフローチャート。
【図１０】図７に示すルータにおける処理を説明するためのフローチャート。
【図１１】図７に示すルータにおける処理を説明するためのフローチャート。
【図１２】図７に示すルータにおけるパステーブルを説明する図。
【図１３】変形例の通信システムの構成を示すブロック図。
【発明を実施するための形態】
【００２４】
以下、添付図面を参照して、さらに詳細に説明する。図面には好ましい実施形態が示されている。しかし、多くの異なる形態で実施されることが可能であり、本明細書に記載される実施形態に限定されない。
【００２５】
［通信システム］
一実施の形態におけるシステム構成を示す図６を参照すると、サイレント障害自律検出機能を含む通信システム１は、インターネットまたはイントラネットなどのＩＰネットワーク２上に配置され、伝送対象データをパケット形態で中継（転送）するネットワーク中継装置としての複数のルータＲ１１，Ｒ１２，Ｒ１３，Ｒ１４を備えている。
【００２６】
これらのルータＲ１１〜Ｒ１４は、入口エッジノード、中継ノード及び出口エッジノードとして機能し、例えばＩＰネットワーク２に接続される複数の通信端末装置５，６に対して、クライアント・クライアント間通信を行わせる。また、ルータＲ１１〜Ｒ１４は、サーバがＩＰネットワーク２に接続されている場合、例えば通信端末装置５にサーバ・クライアント間通信を行わせる。
【００２７】
この通信システム１においては、パケット損失や転送遅延などの異常がルータ内部で生じたとき、ネットワーク回線を通して、該当ルータ（例えば、ルータＲ１２）から保守運用システム４に障害部位通知が行われる。保守運用システム４の保守運用者（監視者）は、ルータのＩＰアドレス及び障害箇所を含む障害部位通知に基づいて、特定ルータがパケット転送不可能であることを認識する。
【００２８】
後に詳述するが、この通信システム１においては、各ルータＲ１１〜Ｒ１４が、自身を通過する伝送対象パケットにルータ内部の通過ルートを示すパス識別子を付加し、ルータ
内の各部位においてパス識別子を監視し、各部位のパケット通過状況をパステーブルに格納する。各ルータＲ１１〜Ｒ１４は、このパステーブルの格納情報に基づいて、各部位のパケット転送の有無を判定し、異常発生時にルータ内部の障害箇所を自律的に特定する。
【００２９】
［ルータの構成］
図６に示す通信システム１において、ネットワーク中継装置として機能するルータＲ１１〜Ｒ１４は、図７に示す詳細構成を採る。
【００３０】
各ルータは、図７に示すように、複数（ｎ個；ｎ≧２）の入力（入口）インターフェース部ＩＦＩ１〜ＩＦＩｎ、複数（ｍ個；ｍ≧２）の出力（出口）インターフェース部ＩＦＥ１〜ＩＦＥｍ、スイッチ部ＳＷ、及び制御部ＣＯＮＴを備える。各ルータにおいて、入力インターフェース部ＩＦＩ１〜ＩＦＩｎ、出力インターフェース部ＩＦＥ１〜ＩＦＥｍ、及びスイッチ部ＳＷは、制御線Ｃ１を通して制御部ＣＯＮＴに接続されている。
【００３１】
各入力インターフェース部ＩＦＩ１〜ＩＦＩｎは、入力パケットバッファＰＢＩ及び入力ネットワークプロセッサＮＰＩを備える。また、各出力インターフェース部ＩＦＥ１〜ＩＦＥｍは、出力パケットバッファＰＢＯ及び出力ネットワークプロセッサＮＰＯを備える。なお、図７においては、入力インターフェース部ＩＦＩｎ及び出力インターフェース部ＩＦＥ１の詳細構成だけを示して簡潔化を図っている。
【００３２】
入力インターフェース部ＩＦＩ１〜ＩＦＩｎの各入力ネットワークプロセッサＮＰＩは、宛先アドレス抽出部１１、識別子付与部１２、パケット監視部１３、及び簡易ルーティングテーブルであるＩＰ転送テーブル（ＦＩＢ：Forwarding Information Base）１４を
含む。入力インターフェース部ＩＦＩ１〜ＩＦＩｎの各入力パケットバッファＰＢＩはパケット監視部１５を含む。ここで、ＦＩＢ１４は入力ネットワークプロセッサＮＰＩが有する図示省略のメモリに設けられる。また、宛先アドレス抽出部１１、識別子付与部１２、及びパケット監視部１３，１５は、入力ネットワークプロセッサＮＰＩのメモリに展開されるプログラムの実行により、後に詳述する機能を果たす機能構成要素として実施可能である。
【００３３】
出力インターフェース部ＩＦＥ１〜ＩＦＥｍの各出力ネットワークプロセッサＮＰＯは、パケット監視部２１及び識別子除去部２２を含む。出力インターフェース部ＩＦＥ１〜ＩＦＥｍの各出力パケットバッファＰＢＯはパケット監視部２３を含む。ここで、パケット監視部２１，２３及び識別子除去部２２は、出力ネットワークプロセッサＮＰＯの図示省略のメモリに展開されるプログラムの実行により、後に詳述する機能を果たす機能構成要素として実施可能である。
【００３４】
スイッチ部ＳＷは、スイッチ４１及び複数のパケット監視部４２，４３，４４，４５，４６を含む。スイッチ部ＳＷは、クロスコネクト機能を有するスイッチファブリックのスイッチ４１を介して、入力インターフェース部ＩＦＩ１〜ＩＦＩｎと出力インターフェース部ＩＦＥ１〜ＩＦＥｍとを相互接続する。ここで、パケット監視部４２〜４６は、スイッチ部ＳＷにおける図示省略のプロセッサのメモリに展開されるプログラムの実行により、後に詳述する機能を果たす機能構成要素として実施可能である。
【００３５】
制御部ＣＯＮＴは、ルーティング制御部５１、識別子付与部５２、パケット監視部５３、ルーティングテーブル５４、通過判定部５５、及びパステーブル５６を含む。また、制御部ＣＯＮＴの制御パケットバッファＰＢＣはパケット監視部５７を含む。ここで、ルーティングテーブル５４及びパステーブル５６は、制御部ＣＯＮＴの図示省略のメモリに設けられる。また、ルーティング制御部５１、識別子付与部５２、パケット監視部５３，５７、及び通過判定部５５は、制御部ＣＯＮＴにおける図示省略のプロセッサのメモリに展
開されるプログラムの実行により、後に詳述する機能を果たす機能構成要素として実施可能である。
【００３６】
［ルータの機能］
図７に詳細構成を例示するルータのｎ個目の入力インターフェース部ＩＦＩｎに伝送対象パケット（単に、パケットと記載することもある）が到着したとき、入力ネットワークプロセッサＮＰＩの宛先アドレス抽出部１１は、到着（受信）した伝送対象パケットのＩＰヘッダから宛先アドレス（ＩＰアドレス）「ａ」を抽出し、識別子付与部１２に通知する。
【００３７】
識別子付与部１２は、通知された宛先アドレス「ａ」に基づいて、ＩＰ転送テーブル（ＦＩＢ）１４の格納情報から１個目の出力インターフェース部ＩＦＥ１対応の出力インターフェース番号「＃Ｅ１」を決定し、伝送対象パケットに出力インターフェース識別子「Ｅ１」をルータ内ヘッダとして付加する。ＦＩＢ１４には、制御部ＣＯＮＴからの指示により、宛先アドレスと出力インターフェース番号との対応関係が予め設定されている。
【００３８】
また、識別子付与部１２は、ルータ内でパケットの通過ルートを一意に示すパス識別子「Ｘ」を伝送対象パケットにルータ内ヘッダとして付加する。識別子付与部５２は識別子付与部１２と同様に機能する。このパス識別子の詳細については後述する。
【００３９】
パケット監視部１３は、通過するパケットのパス識別子を監視し、パケット通過情報を制御部ＣＯＮＴの通過判定部５５に通知する。ルータ内の各部位（監視箇所）に存在する他のパケット監視部１５，２１，２３，４２〜４６，５３，５７は、同様に通過するパケットのパス識別子を監視し、パケット通過情報を通過判定部５５に通知する。
【００４０】
入力パケットバッファＰＢＩは、スイッチ部ＳＷにパケットを転送する際に、パケットを一時的に蓄える。
【００４１】
スイッチ部ＳＷは、パケットに付加された出力インターフェース識別子「Ｅ１」に従い、スイッチ４１によりパケットを出力インターフェース部ＩＦＥ１にスイッチングする。なお、このスイッチング制御のためのプロセッサは図示を省略している。
【００４２】
出力インターフェース部ＩＦＥ１の出力パケットバッファＰＢＯは、出力ネットワークプロセッサＮＰＯにパケットを転送する際に、パケットを一時的に蓄える。
【００４３】
識別子除去部２２は、パケットに付加されている出力インターフェース識別子「Ｅ１」及びパス識別子「Ｘ」を含むルータ内ヘッダを除去する。
【００４４】
制御部ＣＯＮＴの通過判定部５５は、通知されたパケット通過情報を基に、パステーブル５６にパケット通過状況を記録する。パステーブル５６は、通過判定部５５からの指示により、各監視箇所のパケット通過状況を保持する。また、通過判定部５５は、パステーブル５６を監視（参照）し、パケット通過状況に応じて、ルータ内部の障害を検出し、保守運用システム４に通知する。
【００４５】
この一実施の形態の通信システム１のルータにおいては、ルーティング制御部５１、識別子付与部５２、パケット監視部５３、ルーティングテーブル５４、及び制御パケットバッファＰＢＣのパケット監視部５７は、他のルータとルーティング（経路）情報を交換する場合に機能する。この場合、通過判定部５５は、パケット監視部５３，５７などから通知されたパケット通過情報を基に、パステーブル５６にパケット通過状況を記録するとともに、パステーブル５６を監視し、パケット通過状況に応じて、ルータ内部の障害を検出
し、保守運用システム４に通知する。
【００４６】
［パス識別子］
上述したように、識別子付与部１２は、出力インターフェース識別子とともに、ルータ内の通過（転送）ルートを一意に示すパス識別子を伝送対象パケットにルータ内ヘッダ（装置内ヘッダ）として付加する。ここで、図８を参照して、パス識別子の詳細について述べる。
【００４７】
図８に示すように、ルータ内で転送される伝送対象パケットは、ＩＰヘッダ及びデータ（パケットデータ）を含む通常のＩＰパケットにルータ内ヘッダの一部としてパス識別子ＰＩＤを付加した構成である。パス識別子ＰＩＤは、バージョンＦ１、ヘッダ長Ｆ２、ルータの入力インターフェース番号（入力物理ポート番号）Ｆ３、ルータの出力インターフェース番号（出力物理ポート番号）Ｆ４、及びパケット番号Ｆ５のフィールドを含む。
【００４８】
パス識別子ＰＩＤにおいて、バージョンＦ１はパス識別子のバージョンを４ｂｉｔで表す。ここでは、バージョンＦ１は、ルータ内の各監視箇所に存在するパケット監視部が通過する伝送対象パケットをルート（通過ルート）単位で監視するか、通過ルート毎にパケット単位で監視するかを表す。このバージョンＦ１は、例えば保守運用システム４からの指示に基づいて、制御部ＣＯＮＴにより識別子付与部１２，５２に予め通知される。
【００４９】
また、パス識別子ＰＩＤにおいて、ヘッダ長Ｆ２はパス識別子全体の長さを１ｂｙｔｅで表す。ルータの入力インターフェース番号Ｆ３は、伝送対象パケットがルータに到着した際の入力インターフェース部ＩＦＩ１〜ＩＦＩｎのインターフェース番号を表す。ルータの出力インターフェース番号Ｆ４は、伝送対象パケットがルータから送出される際の出力インターフェース部ＩＦＥ１〜ＩＦＥｍのインターフェース番号を表す。
【００５０】
さらに、パス識別子ＰＩＤにおいて、パケット番号Ｆ５は、ルータ内の同一ルートを通る断片化パケットを一意に示すための順序番号であり、ＩＰヘッダから得ることが可能である。入力インターフェース番号Ｆ３、出力インターフェース番号Ｆ４及びパケット番号Ｆ５のフィールドは可変長である。
【００５１】
更に詳述すると、ルータ内の各監視箇所に存在するパケット監視部が、バージョンＦ１に基づいて通過する伝送対象パケットを通過ルート単位で監視し、パケット通過情報を通過判定部５５に通知する第１監視形態を採る場合、識別子付与部１２は、ルータ内の通過ルート、つまり入力インターフェース番号と出力インターフェース番号との組を一意に示すパス識別子ＰＩＤを伝送対象パケットにルータ内ヘッダとして付加する。
【００５２】
したがって、第１監視形態を採る場合、パス識別子ＰＩＤには、識別子付与部１２により、入力インターフェース番号Ｆ３（例えば、Ｆ３＝＃Ｉｎ＝５）及び出力インターフェース番号Ｆ４（例えば、Ｆ４＝＃Ｅ１＝１）が設定されるが、パケット番号Ｆ５は設定されない。そして、パステーブル５６のパス識別子欄には、入力インターフェース番号Ｆ３と出力インターフェース番号Ｆ４との組を一意に示す「５１」が記録される。
【００５３】
また、各パケット監視部が、バージョンＦ１に基づいて通過する伝送対象パケットを通過ルート毎にパケット単位で監視し、パケット通過情報を通過判定部５５に通知する第２監視形態を採る場合、識別子付与部１２は、ルータ内の通過ルート（入力インターフェース番号と出力インターフェース番号との組）を一意に示す情報に加え、ルータ内の同一ルートを通る断片化パケットを一意に示すための順序番号であるパケット番号を含むパス識別子ＰＩＤを伝送対象パケットにルータ内ヘッダとして付加する。
【００５４】
したがって、第２監視形態を採る場合、パス識別子ＰＩＤには、識別子付与部１２により、入力インターフェース番号Ｆ３（例えば、Ｆ３＝＃Ｉｎ＝５）及び出力インターフェース番号Ｆ４（例えば、Ｆ４＝＃Ｅ１＝１）と共に、パケット番号Ｆ５（例えば、Ｆ５＝０４５）が設定される。そして、パステーブル５６のパス識別子欄には、入力インターフェース番号Ｆ３と出力インターフェース番号Ｆ４とパケット番号Ｆ５とを示す「５１０４５」が記録される。
【００５５】
［ルータの動作］
〈第１監視形態〉
ルータ内の各監視箇所に存在するパケット監視部が、通過する伝送対象パケットのパス識別子ＰＩＤを通過ルート単位で監視し、パケット通過情報を通過判定部５５に通知する第１監視形態を採る場合、ルータにおける動作例について関連図を併せ参照して説明する。
【００５６】
図７に詳細構成を例示するルータのｎ個目の入力インターフェース部ＩＦＩｎにパケットが到着したとき、入力ネットワークプロセッサＮＰＩの宛先アドレス抽出部１１は、到着（受信）した伝送対象パケットのＩＰヘッダから宛先アドレス（ＩＰアドレス）「ａ」を抽出し、識別子付与部１２に通知する（図９中の処理９０１，９０２）。
【００５７】
識別子付与部１２は、通知された宛先アドレス「ａ」に基づいて、ＦＩＢ１４の格納情報から１個目の出力インターフェース部ＩＦＥ１対応の出力インターフェース番号「＃Ｅ１」を決定（抽出）し、スイッチ４１におけるスイッチングのための出力インターフェース識別子「Ｅ１」を生成して、伝送対象パケットにルータ内ヘッダの一部として付加する（図９中の処理９０３，９０４，９０５）。
【００５８】
また、識別子付与部１２は、ルータ内の通過ルートＰＲ１、つまり入力インターフェース番号と出力インターフェース番号との組を一意に示すパス識別子（ＰＩＤ）「Ｘ」を作成して、伝送対象パケットにルータ内ヘッダとして更に付加した後に送出する（図９中の処理９０６，９０７）。
【００５９】
第１監視形態を採る場合、パス識別子「Ｘ」には、識別子付与部１２により、入力インターフェース番号Ｆ３（例えば、Ｆ３＝＃Ｉｎ＝５）及び出力インターフェース番号Ｆ４（例えば、Ｆ４＝＃Ｅ１＝１）が設定されるが、パケット番号Ｆ５は設定されない。
【００６０】
パケット監視部１３は、通過するパケットを監視してパス識別子「Ｘ」を抽出し、パス識別子「Ｘ」及び通過部位情報（ここでは、ＮＰＩ番号）を含むパケット通過情報を制御部ＣＯＮＴの通過判定部５５に制御線Ｃ１を通して通知した後に、パケットを送出する（図１０中の処理１００１，１００２，１００３，１００４）。
【００６１】
ルータ内の各監視箇所に存在する他のパケット監視部１５，２１，２３，４２，４３，４５，４６は、同様に通過するパケットを監視してパス識別子「Ｘ」を抽出し、パケット通過情報を通過判定部５５に通知する。
【００６２】
通過判定部５５は、パケット監視部１３などから通知されたパケット通過情報を基に、パステーブル５６にパケット通過状況を順次に記録し、上書更新する（図１０中の処理１００５）。
【００６３】
通過判定部５５は、伝送対象パケットがルータに到着した後、予め定めた時間内にルータから出力しないとき、異常発生と判定する。この例では、通過判定部５５は、パステーブル５６に新規エントリを作成した後、パステーブル５６を監視し、予め定めた時間待っ
ても、全ての監視部位にパケット通過が記録されなければ、異常発生と判定し、特定した障害部位を保守運用システム４に通知する。
【００６４】
続いて、通過判定部５５における処理について、更に詳述する。
【００６５】
通過判定部５５は、パケット監視部１３などからパス識別子「Ｘ」及び通過部位情報を含むパケット通過情報を受信すると、パステーブル５６にエントリがあることを判定する（図１１中の処理１１０１，１１０２）。
【００６６】
エントリとしてのパス識別子「Ｘ」がパステーブル５６に既に記録されている場合は、パケット通過状況をパステーブル５６に記録し、上書更新する（図１１中の処理１１０５）。
【００６７】
エントリとしてのパス識別子「Ｘ」がパステーブル５６にない場合は、パステーブル５６のパス識別子欄には、新規エントリが作成（記録）される（図１１中の処理１１０３）。
【００６８】
通過判定部５５は、新規エントリを作成したとき、障害判定タイマＴＭ１をセット（起動：ＯＮ）し、パケット通過状況をパステーブル５６に記録する（図１１中の処理１１０４，１１０５）。
【００６９】
通過判定部５５は、全てのパケット通過状況をパステーブル５６に記録したとき、障害判定タイマＴＭ１をリセット（停止：ＯＦＦ）して、処理を終了する（図１１中の処理１１０６，１１０７）。
【００７０】
通過判定部５５は、上記処理１１０１〜１１０６を繰り返しながら、上記処理１１０４においてセットした障害判定タイマＴＭ１が満了したか否かを判定する（図１１中の処理１１０８）。
【００７１】
通過判定部５５は、障害判定タイマＴＭ１が満了したときは、パステーブル５６を参照し、パケット通過状況が記録されていない監視部位の障害と判定し、障害部位を保守運用システム４に通知する（図１１中の処理１１０９，１１１０）。
【００７２】
続いて、通過判定部５５は、パステーブル５６中の対応エントリのレコードをクリアすると共に、障害判定タイマＴＭ１をリセットして、処理を終了する（図１１中の処理１１１１，１１１２）。
【００７３】
図１２（Ａ）に示す例では、パステーブル５６のパス識別子欄には、新規エントリとしてＸ＝「５１」が記録される。また、パステーブル５６のパス識別子「５１」に対応するレコードの各監視部位（監視箇所）欄には、パケット通過状況（ＯＮ：通過）が記録される。
【００７４】
ルータにおける対象の監視部位は、入力インターフェース部ＩＦＩ１〜ＩＦＩｎ、出力インターフェース部ＩＦＥ１〜ＩＦＥｍ、及びスイッチ部ＳＷであるが、この例では、障害検出精度を上げるために更に細分化している。したがって、図１２（Ａ）に示すように、パステーブル５６の監視部位欄には、入力ネットワークプロセッサＮＰＩ、入力パケットバッファＰＢＩ、スイッチ部ＳＷの入力及び出力、出力パケットバッファＰＢＯ、及び出力ネットワークプロセッサＮＰＯが予め登録されている。
【００７５】
例えば、スイッチ部ＳＷのスイッチ４１内部の障害により、パケット損失が発生した場
合、スイッチ４１の入力までのパケット監視部１３，１５，４３をパケットが通過するが、スイッチ４１の出力以降のパケット監視部４５，２３，２１をパケットが通過しないので、パステーブル５６のスイッチ部ＳＷの出力、出力パケットバッファＰＢＯ、及び出力ネットワークプロセッサＮＰＯの監視部位欄には、パケットの通過は記録されない。
【００７６】
ルータが正常動作している場合、識別子除去部２２において出力インターフェース識別子「Ｅ１」及びパス識別子「Ｘ」を含むルータ内ヘッダを除去された伝送対象パケットはルータから送出される。
【００７７】
〈第２監視形態〉
次に、ルータ内の各監視箇所に存在するパケット監視部が、通過する伝送対象パケットのパス識別子ＰＩＤを通過ルート毎にパケット単位で監視し、パケット通過情報を通過判定部５５に通知する第２監視形態を採る場合、ルータにおける動作例について関連図を併せ参照して説明する。
【００７８】
図７に詳細構成を例示するルータのｎ個目の入力インターフェース部ＩＦＩｎにパケットが到着したとき、入力ネットワークプロセッサＮＰＩの宛先アドレス抽出部１１は、到着した伝送対象パケットのＩＰヘッダから宛先アドレス「ａ」を抽出し、識別子付与部１２に通知する（図９中の処理９０１，９０２）。
【００７９】
識別子付与部１２は、通知された宛先アドレス「ａ」に基づいて、ＦＩＢ１４の格納情報から１個目の出力インターフェース部ＩＦＥ１対応の出力インターフェース番号「＃Ｅ１」を抽出し、スイッチ４１におけるスイッチングのための出力インターフェース識別子「Ｅ１」を生成して、伝送対象パケットにルータ内ヘッダの一部として付加する（図９中の処理９０３，９０４，９０５）。
【００８０】
また、識別子付与部１２は、ルータ内の通過ルートＰＲ１、つまり入力インターフェース番号と出力インターフェース番号との組を一意に示す情報に加え、ルータ内の同一ルートを通る断片化パケットを一意に示すための順序番号であるパケット番号を含むパス識別子（ＰＩＤ）「Ｘ」（「Ｘ１」，「Ｘ２」・・・）を作成して、伝送対象パケットにルータ内ヘッダとして更に付加した後に送出する（図９中の処理９０６，９０７）。なお、識別子付与部１２は、パス識別子「Ｘ１」，「Ｘ２」などを作成する過程で、伝送対象パケットのＩＰヘッダから断片化パケットの順序番号を抽出してパケット番号とする。
【００８１】
第２監視形態を採る場合、パス識別子「Ｘ１」には、識別子付与部１２により、入力インターフェース番号Ｆ３（例えば、Ｆ３＝＃Ｉｎ＝５）及び出力インターフェース番号Ｆ４（例えば、Ｆ４＝＃Ｅ１＝１）と共に、パケット番号Ｆ５（例えば、Ｆ５＝００１）が設定される。次のパス識別子「Ｘ２」には、識別子付与部１２により、入力インターフェース番号Ｆ３（例えば、Ｆ３＝＃Ｉｎ＝５）及び出力インターフェース番号Ｆ４（例えば、Ｆ４＝＃Ｅ１＝１）と共に、パケット番号Ｆ５（例えば、Ｆ５＝００２）が設定される。
【００８２】
続いて、ルータ内の各監視箇所に存在するパケット監視部１３，１５，４３，４５，２３，２１は、上述した処理１００１，１００２，１００３，１００４と同様に、通過するパケットを監視してパス識別子「Ｘ１」，「Ｘ２」などを抽出し、パケット通過情報を通過判定部５５に通知する。
【００８３】
通過判定部５５は、上述した処理１００５と同様に、パケット監視部１３などから通知されたパケット通過情報を基に、パステーブル５６にパケット通過状況を順次に記録し、上書更新する。
【００８４】
また、通過判定部５５は、上述した処理１１０１〜１１１２と同様に、パステーブル５６に新規エントリを作成した後、パステーブル５６を監視し、予め定めた時間待っても、全ての監視部位にパケット通過が記録されなければ、異常発生と判定し、特定した障害部位を保守運用システム４に通知する。
【００８５】
図１２（Ｂ）に示す例では、パステーブル５６のパス識別子欄には、新規エントリとしてＸ１＝「５１００１」，Ｘ２＝「５１００２」などが記録される。また、パステーブル５６のパス識別子「５１００１」，「５１００２」に対応するレコードの各監視部位欄には、パケット通過状況（ＯＮ：通過）が記録される。
【００８６】
例えば、スイッチ部ＳＷのスイッチ４１内部の障害により、パケット損失が発生した場合、スイッチ４１の入力までのパケット監視部１３，１５，４３をパケットが通過するが、スイッチ４１の出力以降のパケット監視部４５，２３，２１をパケットが通過しないので、パステーブル５６のスイッチ部ＳＷの出力、出力パケットバッファＰＢＯ、及び出力ネットワークプロセッサＮＰＯの監視部位欄には、パケットの通過は記録されない。
【００８７】
ルータが正常動作している場合、識別子除去部２２において出力インターフェース識別子「Ｅ１」及びパス識別子「Ｘ１」，「Ｘ２」などを含むルータ内ヘッダを除去された伝送対象パケットはルータから送出される。
【００８８】
〈変形動作例〉
図６に示す一実施の形態の通信システム１においては、ＩＰネットワーク２上のルータＲ１１〜Ｒ１４間でルーティング情報を交換する場合がある。
【００８９】
図７に詳細構成を例示するルータ（特定ルータ）においては、ルーティング制御部５１、識別子付与部５２、パケット監視部５３、ルーティングテーブル５４、及び制御パケットバッファＰＢＣのパケット監視部５７は、他のルータとルーティング情報を交換する場合に機能する。
【００９０】
ルーティング情報を交換する場合、特定ルータのルーティング制御部５１から他のルータにルーティング情報を含む制御パケットを図７中の通過ルートＰＲ２により発信する形態と、他のルータから特定ルータのルーティング制御部５１にルーティング情報を含む制御パケットが図７中の通過ルートＰＲ３により着信する形態とがある。これらの制御パケット発信形態及び制御パケット着信形態のいずれにおいても上述した第１監視形態及び第２監視形態を選択的に適用可能である。
【００９１】
例えば、制御パケットを通過ルートＰＲ２により発信する形態において、第１監視形態を採用する場合、ルーティング制御部５１は、伝送対象パケット（制御パケット）のＩＰヘッダに他のルータ対応の宛先アドレス「ａ」及びルーティング情報を含む制御パケットを示す情報を設定し、識別子付与部５２に通知する。
【００９２】
識別子付与部５２は、通知された宛先アドレス「ａ」に基づいて、ルーティングテーブル５４の格納情報から１個目の出力インターフェース部ＩＦＥ１対応の出力インターフェース番号「＃Ｅ１」を抽出し、スイッチ４１におけるスイッチングのための出力インターフェース識別子「Ｅ１」を生成して、伝送対象パケットにルータ内ヘッダの一部として付加する。
【００９３】
また、識別子付与部５２は、通知されたルーティング情報を含む制御パケットを示す情報に基づいて、ルータ内の通過ルートとして、入力インターフェース番号に代替して制御
パケット発信を示す情報と出力インターフェース番号とを示すパス識別子「Ｍ１」を作成して、伝送対象パケットにルータ内ヘッダとして更に付加した後に送出する。
【００９４】
制御パケット発信形態を採る場合、伝送対象パケットは、制御パケットバッファＰＢＣからパケット監視部４４を経て、スイッチ４１に入力される。
【００９５】
ルータ内の各監視箇所に存在するパケット監視部５３，５７，４４，４５，２３，２１は、上述した処理１００１，１００２，１００３，１００４と同様に、通過するパケットを監視してパス識別子「Ｍ１」を抽出し、パケット通過情報を通過判定部５５に通知する。
【００９６】
通過判定部５５は、上述した処理１００５と同様に、パケット監視部５３などから通知されたパケット通過情報を基に、パステーブル５６にパケット通過状況を順次に記録し、上書更新する。
【００９７】
また、通過判定部５５は、上述した処理１１０１〜１１１２と同様に、パステーブル５６に新規エントリを作成した後、パステーブル５６を監視し、予め定めた時間待っても、全ての監視部位にパケット通過が記録されなければ、異常発生と判定し、特定した障害部位を保守運用システム４に通知する。
【００９８】
図１２（Ｃ）に示す例では、パステーブル５６のパス識別子欄には、新規エントリとしてＭ１＝「０１」（ここで、「０」は制御パケット発信を示す情報である）が記録される。また、パステーブル５６のパス識別子「０１」に対応するレコードの各監視部位欄には、パケット通過状況（ＯＮ：通過）が記録される。
【００９９】
図１２（Ｃ）に示すように、パステーブル５６の監視部位欄には、制御部ＣＯＮＴ、制御パケットバッファＰＢＣ、スイッチ部ＳＷの入力及び出力、出力パケットバッファＰＢＯ、及び出力ネットワークプロセッサＮＰＯが予め登録されている。
【０１００】
例えば、スイッチ部ＳＷのスイッチ４１内部の障害により、パケット損失が発生した場合、スイッチ４１の入力までのパケット監視部５３，５７，４４をパケットが通過するが、スイッチ４１の出力以降のパケット監視部４５，２３，２１をパケットが通過しないので、パステーブル５６のスイッチ部ＳＷの出力、出力パケットバッファＰＢＯ、及び出力ネットワークプロセッサＮＰＯの監視部位欄には、パケットの通過は記録されない。
【０１０１】
ルータが正常動作している場合、識別子除去部２２において出力インターフェース識別子「Ｅ１」及びパス識別子「Ｍ１」を含むルータ内ヘッダを除去された伝送対象パケットはルータから送出される。
【０１０２】
次に、例えば、制御パケットが通過ルートＰＲ３により着信する形態において、第１監視形態を採用する場合、ルータのｎ個目の入力インターフェース部ＩＦＩｎにパケットが到着したとき、入力ネットワークプロセッサＮＰＩの宛先アドレス抽出部１１は、到着した伝送対象パケット（制御パケット）のＩＰヘッダから自己宛の宛先アドレス「ａａ」を抽出し、識別子付与部１２に通知する。
【０１０３】
識別子付与部１２は、通知された自己宛の宛先アドレス「ａａ」に基づいて、ＩＰヘッダからルーティング情報を含む制御パケットを示す情報を参照し、ルータ内の通過ルートとして、入力インターフェース番号と、出力インターフェース番号に代替して制御パケット着信を示す情報とを示すパス識別子「Ｍ２」を作成して、伝送対象パケットにルータ内ヘッダとして付加した後に送出する。
【０１０４】
制御パケット着信形態を採る場合、伝送対象パケットは、入力パケットバッファＰＢＩからパケット監視部４３を経てスイッチ４１に入力され、パケット監視部４４に出力される。そして、伝送対象パケットは、制御パケットバッファＰＢＣ及びパケット監視部５３を経て、ルーティング制御部５１に入力されて処理される。
【０１０５】
ルータ内の各監視箇所に存在するパケット監視部１３，１５，４３，４４，５７，５３は、上述した処理１００１，１００２，１００３，１００４と同様に、通過するパケットを監視してパス識別子「Ｍ２」を抽出し、パケット通過情報を通過判定部５５に通知する。
【０１０６】
通過判定部５５は、上述した処理１００５と同様に、パケット監視部１３などから通知されたパケット通過情報を基に、パステーブル５６にパケット通過状況を順次に記録し、上書更新する。
【０１０７】
また、通過判定部５５は、上述した処理１１０１〜１１１２と同様に、パステーブル５６に新規エントリを作成した後、パステーブル５６を監視し、予め定めた時間待っても、全ての監視部位にパケット通過が記録されなければ、異常発生と判定し、特定した障害部位を保守運用システム４に通知する。
【０１０８】
図１２（Ｄ）に示す例では、パステーブル５６のパス識別子欄には、新規エントリとしてＭ２＝「５０」（ここで、「０」は制御パケット着信を示す情報である）が記録される。また、パステーブル５６のパス識別子「５０」に対応するレコードの各監視部位欄には、パケット通過状況（ＯＮ：通過）が記録される。
【０１０９】
図１２（Ｄ）に示すように、パステーブル５６の監視部位欄には、入力ネットワークプロセッサＮＰＩ、入力パケットバッファＰＢＩ、スイッチ部ＳＷの入力及び出力、制御パケットバッファＰＢＣ、及び制御部ＣＯＮＴが予め登録されている。
【０１１０】
例えば、スイッチ部ＳＷのスイッチ４１内部の障害により、パケット損失が発生した場合、スイッチ４１の入力までのパケット監視部１３，１５，４３をパケットが通過するが、スイッチ４１の出力以降のパケット監視部４４，５７，５３をパケットが通過しないので、パステーブル５６のスイッチ部ＳＷの出力、制御パケットバッファＰＢＣ、及び制御部ＣＯＮＴの監視部位欄には、パケットの通過は記録されない。
【０１１１】
上記は、ルーティング情報を含むパケットを例に説明したが、自装置発または自装置宛の他のパケットについても同様に監視が可能である。
【０１１２】
［通信システムの変形例］
上述した一実施の形態のサイレント障害自律検出機能を含む通信システム１においては、伝送対象パケットを転送する各ルータＲ１１，Ｒ１２，Ｒ１３，Ｒ１４に含まれている制御部ＣＯＮＴの通過判定部５５が、パステーブル５６及びパケット監視部１３などと協働してルータ内部の異常発生を検出し、保守運用システム４にルータのＩＰアドレス及び障害箇所を含む障害部位通知を行う。
【０１１３】
この結果、保守運用システム４においては、各ルータからのこの障害部位通知に基づいて、特定ルータがパケット転送不可能であることを認識可能とした。
【０１１４】
図１３に例示する変形例の通信システム１Ｂにおいては、通過判定部及びパステーブルを集中配置の制御部としての制御システム７に設ける。
【０１１５】
この制御システム７においては、各ルータＲ１１Ａ〜Ｒ１４Ａが、自身を通過する伝送対象パケットにルータ内部の通過ルートを示すパス識別子を付加し、ルータ内の各部位においてパス識別子を監視し、各部位のパケット通過状況をルータのＩＰアドレスとともに制御システム７に通知する。
【０１１６】
パス識別子及び通過部位情報を含むパケット通過情報とルータのＩＰアドレスとを通知された制御システム７においては、通過判定部（図示省略）がルータ対応のパステーブル（図示省略）にパケット通過情報を格納する。通過判定部は、このパステーブルの格納情報に基づいて、各ルータの各部位のパケット転送の有無を判定し、障害発生ルータの障害箇所を特定する。そして、制御システム７は保守運用システム４にルータのＩＰアドレス及び障害箇所を含む障害部位通知を行う。
【０１１７】
この結果、保守運用システム４においては、制御システム７からのこの障害部位通知に基づいて、特定ルータがパケット転送不可能であることを認識可能である。
【０１１８】
この通信システム１Ａのように、通過判定部及びパステーブルを含む制御システム７が集中配置の制御部としてネットワークレベルにある場合は、通信システム１に比較して、次のメリットがある。
【０１１９】
（１）既存ルータへの変更を抑制しながら、通信システムにサイレント障害自律検出機能を適用することが可能である。
【０１２０】
（２）ルータが中継する伝送対象パケットのトラフィック量の増大などに起因して、ルータが管理するパステーブルのサイズが増大した場合に、ルータ内部のメモリ増設が必要になる。この場合、ＩＰネットワークに存在する各ルータへの変更を抑制し、外部の制御システムの新設によって対応することが可能である。
【０１２１】
［その他の変形例］
上述した一実施の形態及び変形例においては、識別子付与部がパス識別子を伝送対象パケットに付加し、各パケット監視部が抽出したパス識別子と装置内の監視箇所を示す情報とを含む通過情報をそれぞれ通知することにより、通過判定部はパステーブルに記録したパケットの通過状況に応じて、装置内の障害箇所を検出しているが、識別子付与部を有しない中継装置においても障害箇所の特定が可能である。この場合、各パケット監視部では、パケット通過という事象のみをパステーブルに記録するように通知する。そして、通過判定部では、伝送対象パケットの通過ルート単位での通過判定は行わず、全ての通過ルートをまとめて通過判定を行う。これにより、通過ルート単位での障害箇所の特定はできないが、装置内の障害箇所の特定自体は可能である。また、パケット通過という事象を通過判定部に通知するパケット監視部を宛先アドレス抽出部の前段に物理的または論理的に配置する構成を上述した一実施の形態またはこのその他変形例と併用することにより、宛先アドレス抽出部の障害も検出できる等、より幅広い範囲での障害箇所特定が可能である。
【０１２２】
上述した一実施の形態及び変形例における処理はコンピュータで実行可能なプログラムとして提供され、ＣＤ−ＲＯＭやフレキシブルディスクなどの記録媒体、さらには通信回線を経て提供可能である。
【０１２３】
また、上述した一実施の形態及び変形例における各処理はその任意の複数または全てを選択し組合せて実施することもできる。
【０１２４】
［その他］
上述した一実施の形態及び変形例に関し、更に以下の付記を開示する。
【０１２５】
（付記１）
装置内の通過ルートを一意に示すパス識別子を伝送対象パケットに付加する付加手段と；
通過する前記パケットから前記パス識別子を抽出したとき、抽出した前記パス識別子と装置内の監視箇所を示す情報とを含む通過情報をそれぞれ通知する複数の監視手段と；
前記複数の監視手段から通知される前記通過情報に基づいて、前記パケットの通過状況をパステーブルに記録し、前記パステーブルに記録した前記通過状況に応じて、装置内の障害箇所を検出する判定手段と;
を備える中継装置。
【０１２６】
（付記２）
前記付加手段は、前記パス識別子を前記伝送対象パケットに装置内ヘッダとして付加し、
前記パス識別子は、装置内の各監視箇所に存在する前記監視手段が前記伝送対象パケットを通過ルート単位で監視するか、通過ルート毎にパケット単位で監視するかを示す情報を含む
付記１記載の中継装置。
【０１２７】
（付記３）
前記付加手段は、前記装置内の通過ルートとして、入力インターフェース番号と出力インターフェース番号との組を示す前記パス識別子を前記伝送対象パケットに装置内ヘッダとして付加する
付記１または２記載の中継装置。
【０１２８】
（付記４）
前記付加手段は、前記装置内の通過ルートとして、入力インターフェース番号と出力インターフェース番号との組を示す情報に加え、同一通過ルートを通る断片化パケットを示すための順序番号であるパケット番号を含む前記パス識別子を前記伝送対象パケットに装置内ヘッダとして付加する
付記１または２記載の中継装置。
【０１２９】
（付記５）
前記判定手段は、予め定めた時間内に、前記パステーブルに前記装置内の全ての監視箇所の前記通過状況が記録されないときは、異常発生と判定する
付記１記載の中継装置。
【０１３０】
（付記６）
前記複数の監視手段による前記装置内の監視箇所は、複数の入力インターフェース部、複数の出力インターフェース部、及び前記複数の入力インターフェース部と前記複数の出力インターフェース部とを相互接続するスイッチ部を含む
付記１記載の中継装置。
【０１３１】
（付記７）
前記付加手段は、ルーティング情報を含む制御パケットを発信するときは、前記装置内の通過ルートとして、前記入力インターフェース番号に代替して制御パケット発信を示す情報と前記出力インターフェース番号とを示す前記パス識別子を前記伝送対象パケットに付加する
付記３または４記載の中継装置。
【０１３２】
（付記８）
前記付加手段は、ルーティング情報を含む制御パケットが着信したときは、前記装置内の通過ルートとして、前記入力インターフェース番号と、前記出力インターフェース番号に代替して制御パケット着信を示す情報とを示す前記パス識別子を前記伝送対象パケットに付加する
付記１記載の中継装置。
【０１３３】
（付記９）
前記判定手段及び前記パステーブルが、個別配置の制御部またはネットワークレベルの集中配置の制御部に設けられている
付記１記載の中継装置。
【０１３４】
（付記１０）
前記判定手段は、検出した装置内の障害箇所を保守運用システムに通知する
付記１記載の中継装置。
【０１３５】
（付記１１）
装置内の通過ルートを一意に示すパス識別子を伝送対象パケットに付加し；
通過する前記パケットから前記パス識別子を抽出したとき、抽出した前記パス識別子と装置内の監視箇所を示す情報とを含む通過情報を複数の監視箇所からそれぞれ通知し；
前記複数の監視箇所から通知される前記通過情報に基づいて、前記パケットの通過状況をパステーブルに記録し、前記パステーブルに記録した前記通過状況に応じて、装置内の障害箇所を検出する;
ことを中継装置が処理するサイレント障害自律検出方法。
【符号の説明】
【０１３６】
１        通信システム
１Ｂ      通信システム
２        ＩＰネットワーク
４        保守運用システム
５        通信端末装置
６        通信端末装置
７        制御システム
Ｒ１１    ルータ
Ｒ１２    ルータ
Ｒ１３    ルータ
Ｒ１４    ルータ
Ｒ１１Ａ  ルータ
Ｒ１２Ａ  ルータ
Ｒ１３Ａ  ルータ
Ｒ１４Ａ  ルータ
【図１】
0005794098.tif 000002
【図２】
0005794098.tif 000003
【図３】
0005794098.tif 000004
【図４】
0005794098.tif 000005
【図５】
0005794098.tif 000006
【図６】
0005794098.tif 000007
【図７】
0005794098.tif 000008
【図８】
0005794098.tif 000009
【図９】
0005794098.tif 000010
【図１０】
0005794098.tif 000011
【図１１】
0005794098.tif 000012
【図１２】
0005794098.tif 000013
【図１３】
0005794098.tif 000014